(57)【特許請求の範囲】
【請求項１】
非接触型ＩＣカードを含むカードを、複数の互いに対向する搬送ローラによって吸入方向および排出方向に挟持して搬送するカード搬送路を備えたカード搬送部を有する自動取引装置において、
前記カード搬送路の前記吸入方向の最下流に位置する前記搬送ローラを、前記非接触型ＩＣカードの前記吸入方向の後端部を挟持した状態で、その先端側を前記カード搬送部から突出させる位置に配置し、
前記カード搬送部の前記吸入方向の下流側の端部の外側に、前記非接触型ＩＣカードの突出させた先端側に対向させて、非接触型ＩＣカードリーダライタの検出部を配置したことを特徴とする自動取引装置。
【請求項２】
請求項１において、
前記非接触型ＩＣカードリーダライタの検出部の下方に突出させた前記非接触型ＩＣカードの下方に、非磁性材料からなるカード回収部を配置したことを特徴とする自動取引装置。
【請求項３】
請求項１または請求項２において、
前記吸入方向の最下流に位置する搬送ローラを、前記非接触型ＩＣカードの吸入方向に沿った両側の縁部をそれぞれ挟持する搬送ローラとし、
前記カード搬送路のフレームの前記吸入方向に沿った両側の側方板に、それぞれ別体にして回転自在に支持されたシャフトを設け、
前記それぞれのシャフトの、前記非接触型ＩＣカード側の端部に、前記搬送ローラを設けたことを特徴とする自動取引装置。
【請求項４】
請求項１ないし請求項３のいずれか一項において、
前記非接触型ＩＣカードリーダライタの検出部を、非磁性材料を用いた締結部材により、前記カード搬送部に着脱可能に設けたことを特徴とする自動取引装置。
【発明の詳細な説明】
【０００１】
【発明の属する技術分野】
本発明は、金融機関に設置され、顧客との自動取引を行う現金自動取引装置や自動決済端末等の自動取引装置、特にそのカード搬送部に関する。
【０００２】
【従来の技術】
従来の自動取引装置のカード搬送部の例を、図４を用いて説明する。
１は自動取引装置の自走式のカード搬送部である。
２は顧客のキャッシュカード等のカードであり、媒体の種類として磁気ストライプにカード情報を記録した磁気カード等の磁気記録媒体や記録部にカード情報を記録したＩＣカード等の情報格納媒体が用いられている。
【０００３】
３はカード搬送路であり、カード２の受渡しが可能な間隔で配置された互いに対向する搬送ローラ４ａ〜４ｄによってカード２の搬送方向中央を挟持して吸入および排出可能なように構成されている。
５は搬送シャフトであり、搬送ローラ４ａ〜４ｄを回転自在に支持する。
６ａ〜６ｆは検知センサであり、カード搬送路３に沿って複数個設けられ、発光部と受光部とを対向させ、受光する光の遮断によってカード２の有無および位置を検知する光学式等のセンサである。
【０００４】
７はシャッタであり、カード搬送部１の入口に設けられ、カード２の挿入時および排出時に開閉作動する。
８はイメージリーダであり、カード２に設けられたエンボスパターンを画像データとして読取る。
９は磁気リードライタであり、カード２の磁気ストライプに記録されているカード情報を読み書きする。
【０００５】
１０は接触型ＩＣカードリードライタであり、情報格納媒体としての接触型ＩＣカードの記録部に記録されているカード情報を読み書きする。
１１はカード回収部であり、カード搬送路３の吸入方向の最下流部の端部に配置され、顧客が挿入口から受取り忘れたカード２等を回収する。
このような構成よって、カード搬送部１は、挿入された磁気カードや接触型ＩＣカードからなるカード２を吸入してカード搬送路３によって自動的に搬送し、検知センサ６ａ〜６ｆによって所定の位置に停止させる等してカード２に記録されているカード情報の読み書きを行っている。
【０００６】
このような制御は、自動取引装置に設けられた図示しない制御部によって行われる。
【０００７】
【発明が解決しようとする課題】
しかしながら、上述した従来の技術においては、近年、バスや鉄道の定期券等の用途に普及が進んでいる電波によって情報の送受を行う非接触型ＩＣカードの読み書きができないという問題がある。
また、自走式のカード搬送部には、例えばカード搬送路のフレームや頻繁に稼動する搬送ローラの搬送シャフト等に強度部材として金属等の磁性材が用いられており、これによって生ずる電波の歪みによってアンテナを介して行う非接触型ＩＣカードの情報の送受を正確に行うことができないという問題がある。
【０００８】
更に、既存の自動取引装置のカード搬送部に非接触型ＩＣカードリーダライタを付加的に設けて、非接触型ＩＣカードの読み書きする機能を追加することが要望されている。
そこで、本発明は、既存の自動取引装置のカード搬送部に付加的に設けることができ、かつ正確な情報の送受を行うことができる非接触型ＩＣカードのリーダーライタを有するカード搬送部を実現することを目的とする。
【０００９】
【課題を解決するための手段】
本発明は、上記課題を解決するために、非接触型ＩＣカードを含むカードを、複数の互いに対向する搬送ローラによって吸入方向および排出方向に挟持して搬送するカード搬送路を備えたカード搬送部を有する自動取引装置において、前記カード搬送路の前記吸入方向の最下流に位置する前記搬送ローラを、前記非接触型ＩＣカードの前記吸入方向の後端部を挟持した状態で、その先端側を前記カード搬送部から突出させる位置に配置し、前記カード搬送部の前記吸入方向の下流側の端部の外側に、前記非接触型ＩＣカードの突出させた先端側に対向させて、非接触型ＩＣカードリーダライタの検出部を配置したことを特徴とする。
【００１０】
【発明の実施の形態】
以下に、図面を参照して本発明によるカード搬送部の実施の形態について説明する。
第１実施の形態例
図１は本発明の第１実施の形態を示す側面図である。
【００１１】
なお、上記従来例と同様の部分は、同一の符号を付してその説明を省略する。
２１は非接触型ＩＣカードリーダライタの検出部としてのアンテナであり、カード搬送路３のカード２の吸入方向の最下流部のカード搬送部１の端部に設けられ、カード２としての非接触型ＩＣカードとの電波の送受を行う。
２２は締結部材であり、樹脂材料等の非磁性材料によって製作されており、アンテナ２１をカード搬送部１のフレームまたはカード搬送路３のフレーム等に着脱可能に取付ける。
【００１２】
この締結部材２２は、非磁性材料を用いた着脱可能な締結部材であればどのようなものでもよく、例えばスナップオン式のクリップやネジとナット等の締結部材である。
なお、搬送ローラ４ｄから吸入方向下流側のカード搬送路等の部位は、樹脂材料等の非磁性材料によって製作されていることが望ましい。
【００１３】
上記の構成の作用について説明する。
本実施の形態では、顧客がカード２として非接触型ＩＣカードをカード搬送部１へ挿入した場合について説明する。
顧客が非接触型ＩＣカードであるカード２をカード搬送部１の挿入口に挿入すると、検知センサ６ａがこれを検知し、シャッタ７が開作動してカード２をカード搬送路３の搬送ローラ４ａで挟持して搬送し、カード２をカード搬送部１の内部へ吸入する。
【００１４】
カード２が更に搬送ローラ４ａで挟持されて搬送されると、検知センサ６ｂ、６ｃがカード２の通過を検知し、カード２の先端が搬送ローラ４ｂに挟持された後に搬送ローラ４ａがカード２の後端を開放され、カード２が搬送ローラ４ｂに受渡される。
この過程において、イメージリーダ８がカード２に設けられたエンボスパターンを画像データとして読取る。
【００１５】
同様にしてカード２が搬送されて搬送ローラ４ｂから４ｃへ受渡される過程において、磁気リードライタ９がカード２の磁気ストライプに記録されたカード情報の読取処理を行う。
この時、磁気ストライプの有無またはカード情報の読取可否によってカード２の媒体の種類が判定される。本実施の形態では非接触型ＩＣカードが使用されているので、磁気カードではないとしてカード２は次の搬送ローラ４ｄの方向へ搬送される。
【００１６】
この過程において、接触型ＩＣカードリーダライタ１０がカード２の記録部に記録されたカード情報の読取処理を行い、接触型ＩＣカードに設けられる接点の有無またはカード情報の読取可否によってカード２の媒体の種類を判定する。本実施の形態では接触型ＩＣカードではないとしてカード２を更にカード搬送路３の吸入方向下流へ搬送する。
【００１７】
搬送ローラ４ｄがカード２を搬送し、検知センサ６ｆがカード２の先端を検知してから所定の時間または図示しない駆動装置のモータの回転数をカウントしてカード２を搬送ローラ４ｄが挟持した状態でアンテナ２１と非接触型ＩＣカードとの間の電波の送受が可能な図１にＡで示す所定の位置に停止させる。
この時、非接触型ＩＣカードリーダライタは、非接触型ＩＣカードの記録部に記録されたカード情報をアンテナ２１を介して読取る。
【００１８】
なお、非接触型ＩＣカードリーダライタのデータ処理部は接触型ＩＣカードリーダライタ１０のデータ処理部と兼用してもよく、それぞれ独自に設けるようにしてもよい。
このようにしてカード情報の読取りが行われて取引処理が行われ、顧客との取引が終了するとカード搬送部１は、カード搬送路３の搬送ローラ４ａ〜４ｄを逆転させ、カード２を挿入口から排出して顧客に返却する。
【００１９】
以上説明したように、本実施の形態では、非接触型ＩＣカードリーダライタの検出部であるアンテナの近傍に磁性材が配置されていないカード搬送路の吸入方向の最下流部のカード搬送部の端部にアンテナを配置することによって、電波の歪みを防止して正確な情報の送受を行うことができる自走式のカード搬送部の非接触型ＩＣカードリーダライタを実現することができる。
【００２０】
これに加えて、従来のカード搬送部に締結部材を用いて着脱可能にアンテナを設置することによって、従来のカード搬送部に付加的に非接触型ＩＣカードリーダライタを設置することが可能となり、従来と同様のカードの挿入操作性を継承することができ、顧客の戸惑いを防止して顧客の利便性を向上できる。
また、非接触型ＩＣカードリーダライタを別に設ける必要がなくなり、従来と同様の前面パネルの配置を踏襲しながら、自動取引装置の空間を利用して各種の媒体を受入れてカード情報を読み書きするカード搬送部を実現することが可能となり、装置の大型化を防止することができる。
【００２１】
第２実施の形態例
図２は本発明の第２実施の形態を示す側面図である。
なお、上記従来例および第１実施の形態例と同様の部分は、同一の符号を付してその説明を省略する。
２５はカード回収部であり、樹脂材料等の非磁性材料によって製作されており、アンテナ２１の下方に配置されて顧客が挿入口から受取り忘れたカード２等を回収する。
【００２２】
上記の構成の作用について説明する。
なお、非接触型ＩＣカードリーダライタが搬送されたカード２のカード情報を読取る作動は、第１実施の形態例と同様であるのでその説明を省略する。
自動取引装置の図示しない制御部が、顧客がカード２を挿入口から受取り忘れたことを判断すると、カード搬送路３の搬送ローラ４ａ〜４ｄがカード２の吸入方向に回転し、順次にカード２を受渡してカード搬送路３の吸入方向の最下流部へ搬送し、カード搬送路３の端部からカード２を放出してカード回収部２５に回収する。
【００２３】
すなわち、アンテナの下方に非磁性材料からなるカード回収部を配置することによって、電波の歪みを防止して第１実施の形態例と同様の効果が得られる。
これに加えて、従来例におけるカード回収ボックス１１の上方の空スペースを利用することができ、自動取引装置の他の機器の配置に影響を及ぼすことなく非接触型ＩＣカードリーダを着脱可能に設置することが可能となる。
【００２４】
第３実施の形態例
図３は本発明の第３実施の形態を示す上面図である。
なお、上記従来例、第１および第２実施の形態例と同様の部分は、同一の符号を付してその説明を省略する。
３１はアンテナ２１の直近の位置に設けられた搬送ローラであり、カード２の両側を挟持するようにカード搬送路３のフレームの両側の側方板３２の外側に突き出して設けられた２本のシャフト３３にそれぞれ回転自在に別体にして支持されている。
【００２５】
また、それぞれの搬送ローラ３１は、互いに連動して回転するように他の搬送ローラ４ａ〜４ｃの少なくとも１つの搬送ローラとギア列、歯付ベルトまたは平ベルト等の連結手段によって連結している。
なお、本実施の形態では、図示していないが第２実施の形態例の搬送ローラ４ｄ以外の部位は、第２実施の形態例と同様に設けられている。
【００２６】
上記の構成の作用について説明する。
なお、非接触型ＩＣカードリーダライタが搬送されたカード２のカード情報を読取る際に、カード２が搬送ローラ３１によって両側を挟持されて所定の位置に停止する以外は、上記第２実施の形態例の作動と同様であるのでその説明を省略する。
【００２７】
これによって、第２実施の形態例の効果に加えて、アンテナの直近の搬送ローラの搬送シャフトの中間部を廃止してアンテナの近傍の磁性材部品を更に除去することによって、電波の歪みを更に防止することが可能となり、非接触ＩＣカードとアンテナの間の電波の送受を良好な状態に維持することができる。
なお、本実施の形態例の搬送ローラ３１を第１実施の形態例の搬送ローラ４ｄに代えて装備することにより、上記と同様の効果を得ることができる。
【００２８】
【発明の効果】
以上述べたように、本発明は、磁性材が配置されていないカード搬送路の吸入方向の最下流部の端部に非接触型ＩＣカードリーダライタのアンテナを配置することによって、電波の歪みを防止して正確な情報の送受を行うことができる非接触型ＩＣカードリーダライタを実現することができるという効果が得られる。
【図面の簡単な説明】
【図１】本発明の第１実施の形態を示す側面図
【図２】本発明の第２実施の形態を示す側面図
【図３】本発明の第３実施の形態を示す上面図
【図４】従来例を示す側面図
【符号の説明】
１    カード搬送部
２    カード
３    カード搬送路
４ａ〜４ｄ  搬送ローラ
５  搬送シャフト
６ａ〜６ｆ  検知センサ
７    シャッタ
８    イメージリーダ
９    磁気リードライタ
１０  接触型ＩＣカードリーダライタ
１１  カード回収部
２１  アンテナ
２２  締結部材
２５  カード回収部
３１  搬送ローラ
３２  側方板
３３  シャフト
【図１】
0004096625.tif 000002
【図２】
0004096625.tif 000003
【図３】
0004096625.tif 000004
【図４】
0004096625.tif 000005